(57)【要約】【課題】  剛性が高く、軽量で、デザインに自由度を持たせることができるエンジン式発電機を提供すること。【解決手段】  エンジン式発電機１０の枠体を、それぞれアルミダイカストからなる枠状の前部フレーム１１と枠状の後部フレーム１２と、前部フレーム１１と後部フレーム１２との下端部の両側の対向部分をボルト３６とナット３７を介して着脱可能に連結する固定用フレーム３５ａ，３５ｂと、前部フレーム１１と後部フレーム１２との上端部の両側の対向部分をボルト２５とナット２３ａを介して着脱可能に連結するハンドル２１ａ，２１ｂとで構成した。そして、前部フレーム１１および後部フレーム１２にそれぞれ各パネル１３等を取り付けるためのリブ部２６と、ハンドル２１ａ，２１ｂを取り付けるためのハンドル取付部１１ｂ等を一体成形により一体的に形成した。【選択図】  図１
2006177236.tif 000002
【特許請求の範囲】
【請求項１】
立体状の枠体に防音パネルを組み付けて外殻部が構成されるエンジン式発電機であって、
前記枠体を、一体からなる成形体で構成され前記枠体の前部を構成する枠状前部フレームと、一体からなる成形体で構成され前記枠体の後部を構成する枠状後部フレームと、前記枠状前部フレームと前記枠状後部フレームとの所定部分を固定部材を介して着脱可能に連結する連結フレームと、前記枠状前部フレームと前記枠状後部フレームとの所定部分に設けられたハンドル取付部を固定部材を介して着脱可能に連結する持ち運び用のハンドルとで構成したことを特徴とするエンジン式発電機。
【請求項２】
前記ハンドル取付部を、前記枠状前部フレームと前記枠状後部フレームとの上部における左右両側部分に設けるとともに、前記連結フレームおよび前記ハンドルをそれぞれ一対の部材で構成し、前記一対の連結フレームで、前記枠状前部フレームと前記枠状後部フレームとの下部における左右両側部分の対向する部分を連結し、前記一対のハンドルで、前記枠状前部フレームと前記枠状後部フレームとのそれぞれ対向するハンドル取付部を連結した請求項１に記載のエンジン式発電機。
【請求項３】
前記枠状前部フレームおよび前記枠状後部フレームをアルミダイカストで構成するとともに、前記枠状前部フレームおよび前記枠状後部フレームにそれぞれ前記防音パネルを固定するためのパネル取付用リブ部と、前記ハンドル取付部とを一体成形により一体的に形成した請求項１または２に記載のエンジン式発電機。
【請求項４】
前記枠状前部フレームおよび前記枠状後部フレームを成形する際の型抜き方向が一方向になるように、前記パネル取付用リブ部と、前記ハンドル取付部とを形成した請求項３に記載のエンジン式発電機。
【請求項５】
前記枠状前部フレームおよび前記枠状後部フレームに、前記防音パネルを固定するためのボス部をそれぞれ一体的に形成し、固定部材を介して前記ボス部に前記防音パネルを固定した請求項１ないし４のうちのいずれか一つに記載のエンジン式発電機。
【請求項６】
前記枠状前部フレームと前記枠状後部フレームとの少なくとも一方のハンドル取付部と前記ハンドルとの間に、前記ハンドルが軸回り方向に回転することを防止するための回転防止部を設けた請求項１ないし５のうちのいずれか一つに記載のエンジン式発電機。
【請求項７】
前記ハンドルを円筒状に形成し、前記回転防止部を、前記ハンドル取付部に形成された係合部と、前記ハンドルに形成され前記係合部と係合する被係合部とで構成した請求項６に記載のエンジン式発電機。
【発明の詳細な説明】
【技術分野】
【０００１】
本発明は、枠状のフレーム部を備えたエンジン式発電機に関する。
【背景技術】
【０００２】
従来から、エンジンによって発電機を作動させて電力を発生させるエンジン式発電機が用いられており、このようなエンジン式発電機の中に、樹脂の成形体からなるフレーム部や鋼管を曲げて枠状にしたフレーム部を備えたものがある（例えば、特許文献１参照）。このエンジン式発電機は、鋼管を曲げて枠状にしたフレーム部を備えたものであり、逆Ｕ字状に屈曲させた一対のパイプフレームを前後に間隔を保って配置し、その底部における左右両側に前後に延びるベースプレートをそれぞれ掛け渡して両パイプフレームを連結している。そして、各パイプフレームの上部側部分の間にステーを取り付け、そのステーの上部にカバープレートを取り付けて枠部が形成されている。
【特許文献１】特開平１０−２１３０３５号公報
【発明の開示】
【０００３】
しかしながら、前述した従来のエンジン式発電機のフレーム部のうち、樹脂の成形体からなるフレーム部は、軽量のハンディタイプのエンジン式発電機への使用には適しているが強度が小さいため、やや大型のエンジン式発電機に使用した場合には、強度の点で問題がある。また、鋼管を曲げて枠状にしたフレーム部を使用した場合には、デザイン的な制約が大きくなり、優れたデザインを備えたエンジン式発電機を得ることが難しいという問題や重量が大きくなるという問題がある。
【０００４】
本発明は、前述した問題に対処するためになされたもので、その目的は、剛性が高く、軽量で、デザインに自由度を持たせることができるエンジン式発電機を提供することである。
【０００５】
前述した目的を達成するため、本発明に係るエンジン式発電機の構成上の特徴は、立体状の枠体に防音パネルを組み付けて外殻部が構成されるエンジン式発電機であって、枠体を、一体からなる成形体で構成され枠体の前部を構成する枠状前部フレームと、一体からなる成形体で構成され枠体の後部を構成する枠状後部フレームと、枠状前部フレームと枠状後部フレームとの所定部分を固定部材を介して着脱可能に連結する連結フレームと、枠状前部フレームと枠状後部フレームとの所定部分に設けられたハンドル取付部を固定部材を介して着脱可能に連結する持ち運び用のハンドルとで構成したことにある。
【０００６】
このように構成したエンジン式発電機においては、枠体の前部を構成する枠状前部フレームと、後部を構成する枠状後部フレームとがそれぞれ一体からなる成形体で構成されている。したがって、枠状前部フレームと、枠状後部フレームとにそれぞれ連結部がなくなり、枠体全体の剛性を高めることができる。また、枠状前部フレームと枠状後部フレームとのデザイン、特に、枠状前部フレームの形状を任意に設計することによりデザイン性を向上させることができる。さらに、枠状前部フレームと枠状後部フレームとを一体からなる枠状に形成するとともに、エンジン式発電機を持ち運ぶために使用されるハンドルを、枠状前部フレームと枠状後部フレームとを連結するための連結部材としても使用しているため、部品点数の低減が可能になる。
【０００７】
また、枠状前部フレームと枠状後部フレームとが連結フレームとハンドルによって着脱可能に連結されているため、枠体の組立や分解が容易にかつ任意に行える。また、本発明においては、連結フレームとハンドルの個数を、枠体の形状や設定強度等に応じて適宜設定することができる。例えば、ハンドルを１個または２個として、連結フレームを、枠体の設定強度に応じて適宜決定する等である。また、固定部材としては、例えば、ボルトとナットを使用することができる。
【０００８】
また、本発明に係るエンジン式発電機の他の構成上の特徴は、ハンドル取付部を、枠状前部フレームと枠状後部フレームとの上部における左右両側部分に設けるとともに、連結フレームおよびハンドルをそれぞれ一対の部材で構成し、一対の連結フレームで、枠状前部フレームと枠状後部フレームとの下部における左右両側部分の対向する部分を連結し、一対のハンドルで、枠状前部フレームと枠状後部フレームとのそれぞれ対向するハンドル取付部を連結したことにある。
【０００９】
これによると、枠状前部フレームと枠状後部フレームとの四隅を、連結フレームとハンドルとで連結できるため枠体全体の剛性が向上する。この場合、枠状前部フレームと枠状後部フレームとは、四角形またはそれに近い形状にすることが安定性の面から好ましい。
【００１０】
また、本発明に係るエンジン式発電機のさらに他の構成上の特徴は、枠状前部フレームおよび枠状後部フレームをアルミダイカストで構成するとともに、枠状前部フレームおよび枠状後部フレームにそれぞれ防音パネルを固定するためのパネル取付用リブ部と、ハンドルを固定するためのハンドル取付部とを一体成形により一体的に形成したことにある。
【００１１】
これによると、軽量かつ、剛性の高い枠体を得ることができる。また、枠状前部フレームと枠状後部フレームとにそれぞれパネル取付用リブ部が形成されているため、枠体の前部と後部とにそれぞれ防音パネルを嵌め込んで取り付けることができる。このため、防音パネルの取り付けが容易になるとともに、このように防音パネルを取り付けることによって、エンジン式発電機のデザイン性を向上させることができる。また、ハンドルを枠状前部フレームと枠状後部フレームとに取り付けるためのハンドル取付部を、枠状前部フレームと枠状後部フレームとにそれぞれ一体的に成形しているため、ハンドルの取り付けが強固になり、エンジン式発電機の持ち運びを安定した状態で行える。
【００１２】
本発明に係るエンジン式発電機のさらに他の構成上の特徴は、枠状前部フレームおよび枠状後部フレームを成形する際の型抜き方向が一方向になるように、パネル取付用リブ部と、ハンドル取付部とを形成したことにある。この場合、パネル取付用リブ部と、ハンドル取付部との形状は、型抜き方向が同一方向になるように同じ方向に延びる軸に沿うようになる。これによると、枠体の構造を簡単にすることができ、製造が容易になる。
【００１３】
本発明に係るエンジン式発電機のさらに他の構成上の特徴は、枠状前部フレームおよび枠状後部フレームに、防音パネルを固定するためのボス部をそれぞれ一体的に形成し、固定部材を介してボス部に防音パネルを固定したことにある。これによると、防音パネルの組立精度が向上し、外観上の品質も向上する。また、この場合、固定部材をボルトとナットで構成し、防音パネルの表面側には凹部を設けて、この凹部内にボルトが位置するように構成することが好ましい。これによると、ボルトの頭部が目立たなくなるため、外観上の品質がさらに向上する。
【００１４】
本発明に係るエンジン式発電機のさらに他の構成上の特徴は、枠状前部フレームと枠状後部フレームとの少なくとも一方のハンドル取付部とハンドルとの間に、ハンドルが軸回り方向に回転することを防止するための回転防止部を設けたことにある。これによると、ハンドルが回転しなくなるためエンジン式発電機を持ち運ぶときなどの操作がし易くなる。この場合の回転防止部としては、ハンドルを四角形やそれ以上の多角形のパイプで構成し、ハンドル取付部に、ハンドルの軸回り方向への回転を防止できる四角形や多角形の凹部を設けて双方を組み付けたり、円筒状のパイプの端部に四角形や多角形の部分を形成して、ハンドル取付部に設けた凹部に組み付けたりしたもので構成することができる。
【００１５】
本発明に係るエンジン式発電機のさらに他の構成上の特徴は、ハンドルを円筒状に形成し、回転防止部を、ハンドル取付部に形成された係合部と、ハンドルに形成され係合部と係合する被係合部とで構成したことにある。これによると、例えば、ハンドルのハンドル取付部への固定をボルトとナットを用いて行い、かつボルトをハンドルの軸回り方向に回転させることによってナットに螺合させる場合に、ハンドルが回転することを防止できるため、ハンドルの固定をスムーズに行うことができる。また、この場合、ハンドル取付部に突部を設けて、ハンドルにその突部に係合できる凹部を設けたり、ハンドル取付部に凹部を設けて、ハンドルにその凹部に係合できる突部を設けたりすることができる。
【発明を実施するための最良の形態】
【００１６】
以下、本発明の一実施形態に係るエンジン式発電機を図面を用いて説明する。図１ないし図５は、本発明に係るエンジン式発電機１０を示している。このエンジン式発電機１０の外表部は、丸みをおびた略箱状に形成されており、前後に間隔を保って配置された前部フレーム１１と後部フレーム１２とからなる一対の枠状フレームと、前部フレーム１１と後部フレーム１２とのそれぞれの枠内および前部フレーム１１と後部フレーム１２との間にそれぞれ配置された正面パネル１３、上面パネル１４、吸気カバー１５、排気カバー１６、背面パネル１７および底面パネル１８で構成されている。
【００１７】
前部フレーム１１と後部フレーム１２とは同一形状のアルミダイキャストからなっている。そして、前部フレーム１１は、表面を前方に向けた状態で配置されて本発明に係る枠状前部フレームを構成し、後部フレーム１２は、表面を後方に向けた状態で配置されて本発明に係る枠状後部フレームを構成している。このように、前部フレーム１１と後部フレーム１２とを同じもので構成したため、成形用の金型が１つで済み、製造コストが安価になるとともに、前部フレーム１１と後部フレーム１２とが１部品で済むため部品管理の上で好ましい。
【００１８】
この前部フレーム１１と後部フレーム１２とは、図６ないし図８（図６ないし図８は前部フレーム１１を示している）に示したように構成されており、前部フレーム１１と後部フレーム１２とのそれぞれの本体部分は、上部の両側部分が丸くなった略四角形の枠状に形成されたフレーム本体１１ａ，１２ａで構成されている。また、フレーム本体１１ａの上部の左右両側部分には、上方に向かって延びる一対のハンドル取付部１１ｂ，１１ｃが形成され、フレーム本体１２ａの上部の両側部分には、上方に向かって延びる一対のハンドル取付部１２ｂ，１２ｃが形成されている。
【００１９】
このハンドル取付部１１ｂ，１１ｃ，１２ｂ，１２ｃにおけるエンジン式発電機１０の左右方向の外部側に位置するそれぞれの側面は、エンジン式発電機１０の側面の上部側部分からエンジン式発電機１０の内部側に湾曲して上方に延びている。また、ハンドル取付部１１ｂ，１１ｃ，１２ｂ，１２ｃにおけるエンジン式発電機１０の左右方向の内部側に位置するそれぞれの側面は、エンジン式発電機１０の上面からやや外部側の上方に向かって略直線状に延びている。
【００２０】
また、ハンドル取付部１１ｂ，１１ｃ，１２ｂ，１２ｃにおけるエンジン式発電機１０の前後方向の外部側に位置するそれぞれの正面または裏面は、エンジン式発電機１０の正面または裏面の上部側部分からエンジン式発電機１０の内部側に傾斜して上方に延びている。そして、ハンドル取付部１１ｂ，１１ｃ，１２ｂ，１２ｃにおけるエンジン式発電機１０の前後方向の内部側に位置するそれぞれの面は、図７に示したように、表面側の形状に対応する凹部に形成され、その周縁部は、図８に示したように、エンジン式発電機１０の上面から略直線状に上方に延びている。したがって、ハンドル取付部１１ｂ，１１ｃ，１２ｂ，１２ｃの上部側部分は、それぞれエンジン式発電機１０の内部側に向うような先細り形状に形成されている。
【００２１】
また、ハンドル取付部１１ｂ，１１ｃ，１２ｂ，１２ｃの上部側部分の内面には、それぞれ略円筒状のボス部１９が形成され、そのボス部１９の中央に、前後に貫通する挿通穴１９ａが形成されている。挿通穴１９ａは、図９に示したように、表面側に位置する中径部１９ｂと、裏面側に位置する大径部１９ｃと、中径部１９ｂと大径部１９ｃとの間に形成された小径部１９ｄとで構成されている。また、図１０に示したように、大径部１９ｃの下端部には小突起１９ｅが形成されている。そして、この挿通穴１９ａを介して、対向する二組のハンドル取付部１１ｂ，１２ｂおよびハンドル取付部１１ｃ，１２ｃにそれぞれ円筒状のハンドル２１ａ，２１ｂが掛け渡された状態で取り付けられている。
【００２２】
ハンドル２１ａ，２１ｂは、鉄製のパイプで構成され、図１１および図１２（ハンドル２１ａを示している）に示したようにその両端開口部には、中央に穴部が形成されたキャップ状のプレート２２ａ，２２ｂが固定され、プレート２２ａ，２２ｂの内面にナット２３ａ，２３ｂが固定されている。また、ハンドル２１ａ，２１ｂにおけるプレート２２ａが固定された端部およびプレート２２ａの下端部（図９、図１０および図１２の状態での下端部）には、切欠き凹部２４が設けられている。
【００２３】
そして、ハンドル２１ａ，２１ｂのプレート２２ａが固定された端部をハンドル取付部１１ｂ，１１ｃの大径部１９ｃ内にそれぞれ位置決めするとともに、ハンドル２１ａ，２１ｂのプレート２２ｂが固定された端部をハンドル取付部１２ｂ，１２ｃの大径部１９ｃ内にそれぞれ位置決めする。ついで、ボルト２５を、各挿通穴１９ａに通し、ナット２３ａ，２３ｂに螺合させることにより、ハンドル２１ａ，２１ｂの両端部は、対応するハンドル取付部１１ｂ，１２ｂおよびハンドル取付部１１ｃ，１２ｃに固定される。
【００２４】
この場合、ハンドル２１ａ，２１ｂの切欠き凹部２４内に挿通穴１９ａの小突起１９ｅを位置させることにより、ハンドル２１ａ，２１ｂがハンドル取付部１１ｂ，１２ｂおよびハンドル取付部１１ｃ，１２ｃに対して回転しなくなる。これによって、ボルト２５をナット２３ａ，２３ｂにスムーズに螺合させることができる。エンジン式発電機１０は、この一対のハンドル２１ａ，２１ｂを持つことにより持ち運びが可能になっている。また、その際にも、ハンドル２１ａ，２１ｂは、切欠き凹部２４と小突起１９ｅとの係合によって回転を防止されるため、エンジン式発電機１０を持ち運び易くなる。
【００２５】
また、前部フレーム１１と後部フレーム１２との内周縁部には、円周に沿って正面パネル１３、背面パネル１７を取り付けるためのリブ部２６が形成され、そのリブ部２６に所定間隔を保って複数の係合穴形成部２６ａ、係合穴形成部２６ａ1および係合穴形成部２６ｂが形成されている。このリブ部２６、係合穴形成部２６ａ、係合穴形成部２６ａ1および係合穴形成部２６ｂの軸方向（穴の方向）は、すべてボス部１９の軸方向と同一方向に設定されている。また、前部フレーム１１と後部フレーム１２との下端部の内面には、間隔を保って６個のボス部２６ｃが形成されている。この前部フレーム１１と後部フレーム１２とは、単純な構造の固定型と可動型からなる金型を備えた成形装置を用いて、固定型に対して可動型を一方向に移動させることにより成形することができる。
【００２６】
正面パネル１３は、前部フレーム１１の枠内にリブ部２６に沿った状態で取り付けられてエンジン式発電機１０の前面部を構成するもので、樹脂材料を一体成形した成形品で構成されている。この正面パネル１３の上端縁部における両側部分には、リブ部２６の隙間部分２６ｅに挿入できる突部（図示せず）が形成され、正面パネル１３の裏面における周縁部の所定部分には、板金クリップ（図示せず）が取り付けられている。そして、前記突部をリブ部２６の隙間部分２６ｅに挿入し、板金クリップを係合穴形成部２６ｂに差し込むことにより正面パネル１３は、抜け止めされた状態で、前部フレーム１１に固定されている。
【００２７】
この正面パネル１３は、正面から見た状態では、角部が丸くなった略四角形に形成されその上部側部分には、左側部分（図１および図２に示した状態での左側）の高さ方向の幅が大きく、右側部分の高さ方向の幅が小さくなった略楕円形の凹部１３ａが形成されている。そして、凹部１３ａ内の左側部分に円形の凹部２７が形成されている。また、凹部１３ａ内における凹部２７以外の部分には、コンセント１３ｂや各種のスイッチ１３ｃ等が設けられている。
【００２８】
凹部２７は、水平方向に配置され、正面に向って突出した板状の壁部からなる仕切り部２８によって上下に二分されている。そして、仕切り部２８の正面および両側面を囲むようにして鉄棒からなる枠状の防護部２９が設けられている。また、凹部２７の上部を構成する上部領域２７ａの奥行きは、凹部２７の下部を構成する下部領域２７ｂの奥行きよりも小さく（浅く）設定されている。
【００２９】
そして、奥行きの小さな上部領域２７ａに、コック操作部３１とチョーク操作部３２が左右に並んで設けられ、奥行きの大きな下部領域２７ｂにリコイルハンドル３３が設けられている。これらのコック操作部３１、チョーク操作部３２およびリコイルハンドル３３は、正面パネル１３の周縁部の表面よりも外側に突出しないようにして設けられている。また、仕切り部２８は、正面パネル１３と一体的に形成され、防護部２９は両端部を正面パネル１３の内部に差し込んだ状態で正面パネル１３に固定されている。
【００３０】
上面パネル１４は、前部フレーム１１と後部フレーム１２の上端縁部間に取り付けられてエンジン式発電機１０の上面部を構成しており、中央部が上方に向かって湾曲した状態で左右方向に延びた曲面状に形成されている。そして、上面パネル１４の略中央部には、燃料タンク（図示せず）の燃料供給口３４を通すための燃料供給部挿通部１４ａが盛り上がった状態で形成され、その燃料供給部挿通部１４ａを介して燃料供給口３４にタンクキャップ１４ｂが取り付けられている。
【００３１】
また、吸気カバー１５および排気カバー１６は、前部フレーム１１と後部フレーム１２との両側縁部間に取り付けられてそれぞれエンジン式発電機１０の側面部を構成している。そして、吸気カバー１５の下部側部分には、左右に延びるスリット状の吸気孔１５ａが上下に並んで複数形成され、排気カバー１６の中央側の大部分の面には、左右に延びるスリット状の排気孔１６ａが上下に並んで複数形成されている。また、排気カバー１６の後部側部分における上下方向の略中央には、円形の排気孔１６ｂが形成されている。
【００３２】
背面パネル１７は後部フレーム１２の枠内に取り付けられてエンジン式発電機１０の後面部を構成しており、全体の概略形状は、正面パネル１３と略等しい形状に形成されている。ただし、この背面パネル１７には、正面パネル１３の凹部１３ａ，２７に相当する凹部は形成されていない。この背面パネル１７の上端縁部における両側部分には、正面パネル１３と同様、リブ部２６の隙間部分２６ｅに挿入できる突部が形成され、背面パネル１７の裏面側の両側部には板金クリップが設けられている。また、背面パネル１７の周縁部下部における両側部分には、ねじ挿通穴（図示せず）が設けられている。
【００３３】
また、係合穴形成部２６ａ1には、ナットが固定された固定部材（図示せず）が取り付けられており、この固定部材には、ナットの穴部と同軸的にねじ挿通孔が形成されている。そして、突部をリブ部２６の隙間部分２６ｅに挿入し、板金クリップを左右の係合穴形成部２６ｂに係合させるとともに、ボルト（図示せず）を係合穴形成部２６ａ1内および前記固定部材のねじ挿通穴に通し、背面パネル１７の内面側で、前記ボルトの先端部に前記ナットを螺合させることにより背面パネル１７は、後部フレーム１２に固定されている。また、背面パネル１７の表面におけるねじ挿通穴の周囲は凹部に形成されてボルトの頭部が突出しないようになっている。また、この背面パネル１７は、エンジン式発電機１０を点検する場合等には、前記ボルトを外して取り外すことができる。
【００３４】
前部フレーム１１および後部フレーム１２の係合穴形成部２６ａは、燃料タンクを固定するために形成されている。また、前部フレーム１１および後部フレーム１２の内面における上部両側部分には、吸気カバー１５や排気カバー１６を取り付けるための取付部２６ｄが形成されている。底面パネル１８は前部フレーム１１と後部フレーム１２との下端縁部間に取り付けられてエンジン式発電機１０の底面部を構成している。また、底面パネル１８の左右両端縁部は、底面の両側からそれぞれやや立ち上がって上方に延びそれぞれ対応するエンジン式発電機１０の側面部の下部側部分も構成している。
【００３５】
上面パネル１４、吸気カバー１５、排気カバー１６、背面パネル１７および底面パネル１８はそれぞれ樹脂材料を一体成形して構成されており、これらで本発明の防音パネルが構成される。また、前部フレーム１１と後部フレーム１２との間における左右両側の所定部分は、図１３および図１４に示した板金からなる本発明の連結フレームとしての一対の固定用フレーム３５ａ，３５ｂで強固に連結されている。この一対の固定用フレーム３５ａ，３５ｂと、前部フレーム１１、後部フレーム１２およびハンドル２１ａ，２１ｂで本発明の枠体が構成される。
【００３６】
固定用フレーム３５ａ，３５ｂは、それぞれ前部フレーム１１および後部フレーム１２の隣り合った２個のボス部２６ｃの間隔よりもやや大きな幅の板状部の左右両側に高さ方向の長さが小さな壁部が形成された台型の形状に形成されている。また、前部フレーム１１および後部フレーム１２のボス部２６ｃおよび固定用フレーム３５ａ，３５ｂのボス部２６ｃに対応する部分にはそれぞれねじ挿通穴が形成されている。
【００３７】
そして、これらのねじ挿通穴に、ボルト３６を通し、固定用フレーム３５ａ，３５ｂの上面に溶接によって固定されたナット３７に螺合させることにより前部フレーム１１と後部フレーム１２との下端部は、固定用フレーム３５ａ，３５ｂによって連結固定されている。なお、このエンジン式発電機１０では、固定用フレーム３５ａは、図１４における左から２番目と３番目のボス部２６ｃに固定され、固定用フレーム３５ｂは、図１４における右端と右から２番目のボス部２６ｃに固定されている。
【００３８】
また、前部フレーム１１の下端両側部分と後部フレーム１２の下端両側部分とにおけるハンドル取付部１１ｂ，１１ｃ，１２ｂ，１２ｃの上端部の真下に位置する部分には、それぞれゴム製のマウント部３８が取り付けられている。なお、図１３における後部側のマウント部３８は、後部フレーム１２等の外部形状を示すために省略している。このマウント部３８は、前部フレーム１１または後部フレーム１２の下面と底面パネル１８とに接面するように設置された底部と、その底部の上面における一方の端部側部分から上方に延びて前部フレーム１１の正面または後部フレーム１２の表面（外面）に接面するように設置された側部とを備えている。そして、底部の上面から側部の内部に延びるようにして、補強金具（図示せず）が設けられている。
【００３９】
このマウント部３８のうちの図１４の左側部分に取り付けられたマウント部３８は、ボルトとナット（図示せず）を介して左端のボス部２６ｃに固定され、図１４の右側部分に取り付けられたマウント部３８は、ボルト３６とナット３７を介して固定用フレーム３５ｂに固定されている。すなわち、マウント部３８の底部には、上下に貫通する挿通穴３８ａが形成されており、左側のマウント部３８は、挿通穴３８ａを、ボス部２６ｃに形成されたねじ挿通穴に合わせ、これらのねじ挿通穴にボルトを通し、ボルトの先端部にナットに螺合させることにより固定されている。
【００４０】
また、右側のマウント部３８は、挿通穴３８ａを、ボス部２６ｃおよび固定用フレーム３５ｂに形成されたねじ挿通穴に合わせ、これらのねじ挿通穴に、ボルト３６を通し、固定用フレーム３５ｂの上面に固定されたナット３７に螺合させることにより固定されている。なお、本発明の要旨ではないため、説明は省略するが、エンジン式発電機１０の内部には、エンジンや発電機等のエンジン式発電機を作動させるために必要な各装置が設置されている。そして、このエンジン式発電機１０の重量は３０〜４０ｋｇ程度に設定されている。
【００４１】
この構成において、エンジン式発電機１０を作動させる際には、まず、コック操作部３１を開（オン）操作し、コック操作部３１に隣接するチョーク操作部３２を引っ張る。その状態で、リコイルハンドル３３を引っ張ってエンジン（図示せず）を始動させる。ついで、エンジンが起動により暖まると、チョーク操作部３２を元の状態に戻す。そして、コンセント１３ｂにコードを接続することによりエンジン式発電機１０が発電した電力を他の機器等で使用することができる。
【００４２】
また、エンジン式発電機１０の作動中には、正面パネル１３等の各パネルの防音効果によって、騒音は小さくされた状態になる。また、エンジン式発電機１０を使用する前や使用後に、エンジン式発電機１０を持ち運ぶ際には、ハンドル２１ａ，２１ｂを持つことにより持ち運びが容易になる。さらに、エンジン式発電機１０を保管場所等に保管する場合には、複数個のエンジン式発電機１０を積み重ねた状態にしても、枠体の強度が大きいため、下側のエンジン式発電機１０が重量で破損したりすることはない。
【００４３】
このように、本実施形態に係るエンジン式発電機１０では、枠体の前部を構成する前部フレーム１１と、後部を構成する後部フレーム１２とがそれぞれ一体からなるアルミダイカストで構成されているため、重量がかかることによって歪んだりすることがない。また、前部フレーム１１、後部フレーム１２、ハンドル２１ａ，２１ｂおよび固定用フレーム３５ａ，３５ｂの６個の部材だけで枠体が構成されている。したがって、少ない部材で剛性が高く軽量の枠体を得ることができる。さらに、エンジン式発電機１０を持ち運ぶために使用されるハンドル２１ａ，２１ｂを、前部フレーム１１と後部フレーム１２とを連結するために使用しているため、さらに部品点数が少なくて済む。
【００４４】
また、エンジン式発電機１０の外表部を曲面状に形成するとともに、前部フレーム１１の枠内に凹部１３ａ等を備えたデザイン性の高い正面パネル１３を設けているため、エンジン式発電機１０全体のデザイン性が向上する。また、このエンジン式発電機１０では、前部フレーム１１と後部フレーム１２とがハンドル２１ａ，２１ｂおよび固定用フレーム３５ａ，３５ｂにボルト２５，３６等を介して着脱可能に連結されているため、枠体の組立や分解が必要に応じて簡単に行える。
【００４５】
さらに、前部フレーム１１にリブ部２６と、ハンドル２１ａ，２１ｂを取り付けるためのハンドル取付部１１ｂ，１１ｃを一体成形により一体的に形成し、後部フレーム１２にリブ部２６と、ハンドル２１ａ，２１ｂを取り付けるためのハンドル取付部１２ｂ，１２ｃを一体成形により一体的に形成している。このため、正面パネル１３および背面パネル１７をそれぞれリブ部２６の表面上に当接させて取り付けることができ、正面パネル１３および背面パネル１７の適正位置への取り付けが容易にできる。また、ハンドル２１ａ，２１ｂを前部フレーム１１と後部フレーム１２とに取り付けるためのハンドル取付部１１ｂ，１１ｃ等を、前部フレーム１１と後部フレーム１２とにそれぞれ一体的に成形しているため、ハンドル２１ａ，２１ｂの取り付けが強固になる。
【００４６】
また、前部フレーム１１および後部フレーム１２に、正面パネル１３や背面パネル１７を固定するための係合穴形成部２６ａ1や係合穴形成部２６ｂをそれぞれ一体的に形成し、板金クリップ、ボルトおよびナット等を介して係合穴形成部２６ａ1や係合穴形成部２６ｂに正面パネル１３や背面パネル１７を固定している。このため、正面パネル１３や背面パネル１７の組立精度が向上し、外観上の品質も向上する。また、正面パネル１３の表面側にボルト用の凹部を設けて、この凹部内にボルトが位置するようにしているため、ボルトの頭部が目立たなくなり、外観上の品質がさらに向上する。
【００４７】
さらに、ハンドル２１ａ，２１ｂの端部とプレート２２ａの下端部に切欠き凹部２４を形成し、ハンドル取付部１１ｂ，１１ｃの挿通穴１９ａに切欠き凹部２４と係合する小突起１９ｅを形成しているため、ボルト２５とナット２３ａを螺合させる際に、ハンドル２１ａ，２１ｂが回転することを防止できる。これによって、ハンドル２１ａ，２１ｂの固定をスムーズに行うことができる。また、同様に、ハンドル２１ａ，２１ｂを持って、エンジン式発電機１０を運ぶ場合にも、ハンドル２１ａ，２１ｂが回転しないため、エンジン式発電機１０の持ち運びが容易になる。
【００４８】
また、本発明に係るエンジン式発電機は、前述した実施形態に限定するものでなく、適宜変更して実施することができる。例えば、前述した実施形態では、ハンドル２１ａ，２１ｂの２個のハンドルを設けているが、このハンドルは１個にすることもできる。この場合、エンジン式発電機の上面における左右方向の中央にハンドルを設け、枠体の上端部における左右両側と枠体の下端部における左右両側に固定用フレームを取り付けることが好ましい。また、固定用フレームの数もエンジン式発電機の形状に合わせて変更することができる。
【００４９】
また、一対のハンドルを四角形等の多角状のパイプで構成し、ボス部１９に設ける大径部を四角形等の多角状に形成することもできる。さらに、一対のハンドルの両端部だけを四角形等に形成し大径部をその形状に合わせて形成することもできる。また、一対のパイプに突部を設け、大径部に凹部を設けてもよい。さらに、前述した実施形態では、前部フレーム１１および後部フレーム１２をアルミダイカストとしているが、この前部フレーム１１および後部フレーム１２は、ダイカスト以外の成形品で構成してもよい。また、その他のエンジン式発電機の構造やエンジン式発電機を構成する材料等についても本発明の技術的範囲内で適宜変更することができる。
【図面の簡単な説明】
【００５０】
【図１】本発明の一実施形態に係るエンジン式発電機を示す斜視図である。
【図２】エンジン式発電機を示す正面図である。
【図３】エンジン式発電機を示す平面図である。
【図４】エンジン式発電機を示す左側面図である。
【図５】エンジン式発電機を示す右側面図である。
【図６】前部フレームを示す正面図である。
【図７】前部フレームを示す背面図である。
【図８】図７の８−８断面図である。
【図９】ハンドルをハンドル取付部に取り付けた状態を示す断面図である。
【図１０】図９の１０−１０断面図である。
【図１１】ハンドルを示す底面図である。
【図１２】図１１の１２−１２断面図である。
【図１３】前部フレームと後部フレームを固定用フレームで連結した状態を示す断面図である。
【図１４】前部フレームと固定用フレームとの連結状態を示す一部切欠き断面図である。
【符号の説明】
【００５１】
１０…エンジン式発電機、１１…前部フレーム、１１ｂ，１１ｃ，１２ｂ，１２ｃ…ハンドル取付部、１１ａ，１２ａ…フレーム本体、１２…後部フレーム、１３…正面パネル、１４…上面パネル、１５…吸気カバー、１６…排気カバー、１７…背面パネル、１８…底面パネル、１９ａ…挿通穴、１９ｅ…小突起、２１ａ，２１ｂ…ハンドル、２３ａ，２３ｂ，３７…ナット、２４…凹部、２５，３６…ボルト、２６…リブ部、２６ａ1，２６ｂ…係合穴形成部、３５ａ，３５ｂ…固定用フレーム。
【図１】
2006177236.tif 000003
【図２】
2006177236.tif 000004
【図３】
2006177236.tif 000005
【図４】
2006177236.tif 000006
【図５】
2006177236.tif 000007
【図６】
2006177236.tif 000008
【図７】
2006177236.tif 000009
【図８】
2006177236.tif 000010
【図９】
2006177236.tif 000011
【図１０】
2006177236.tif 000012
【図１１】
2006177236.tif 000013
【図１２】
2006177236.tif 000014
【図１３】
2006177236.tif 000015
【図１４】
2006177236.tif 000016